(57)【要約】【課題】開閉式の装身具ケースであって、開いた状態において装身具を安定した姿勢で目視可能に保持できるとともに、サイズの大型化を抑制できる装身具ケースを提供する。【解決手段】装身具ケース１は、装身具を保持する保持部材４と、保持部材４を装身具と共に収容する内部空間５を持ったケース本体２とを有する。ケース本体２は、連結部３を介して開閉自在に連結された第１ケース部１０及び第２ケース部２０を含む。第１ケース部１０及び第２ケース部２０は、閉じた状態において内部空間５を形成する。内部空間５に面した第１ケース部１０の内面１０３は、第１ケース部１０と第２ケース部２０とが開いた状態において保持部材４の一部を差し込み可能な溝１２０及び１３０を持つ。保持部材は、溝１２０及び１３０に差し込まれた状態で装身具を目視可能に保持し、溝１２０及び１３０から引き抜かれた状態で内部空間５に収容される。【選択図】図１２
2019055149.tif 000002
【特許請求の範囲】
【請求項１】
装身具を保持する保持部材と、
前記保持部材を前記装身具と共に収容する内部空間を持ったケース本体とを有し、
前記ケース本体は、連結部を介して開閉自在に連結された第１ケース部及び第２ケース部を含み、
前記第１ケース部及び前記第２ケース部は、閉じた状態において前記内部空間を形成し、
前記内部空間に面した前記第１ケース部の内面は、前記第１ケース部と前記第２ケース部とが開いた状態において前記保持部材の一部を差し込み可能な溝を持ち、
前記保持部材は、前記溝に差し込まれた状態で前記装身具を目視可能に保持し、前記溝から引き抜かれた状態で前記内部空間に収容される、
装身具ケース。
【請求項２】
前記保持部材は板状の形状を持ち、
前記保持部材の縁を前記溝に差し込み可能であり、
前記保持部材が前記溝に差し込まれた状態、かつ、前記第１ケース部と前記第２ケース部とが開いた状態において、前記装身具の少なくとも一部が前記保持部材の表面に位置するとともに、前記保持部材の裏面が前記連結部に臨んでいる、
請求項１に記載の装身具ケース。
【請求項３】
前記第１ケース部の前記内面は凹部を持ち、
前記凹部は、底面と、前記底面を囲む内側面とを含み、
前記溝は、前記凹部の前記内側面において前記底面から離れる方向に延びて形成される、
請求項２に記載の装身具ケース。
【請求項４】
前記内側面の異なる位置に２つの前記溝が形成されており、
前記２つの溝が互いに対向し、
前記保持部材は、前記２つの溝の間に挟まれた状態で、前記２つの溝に差し込まれる、
請求項３に記載の装身具ケース。
【請求項５】
前記溝は、互いに対向する第１面及び第２面を含み、
前記底面から離れるにつれて前記第１面と前記第２面との間隔が広がっている、
請求項４に記載の装身具ケース。
【請求項６】
前記第１面は、前記第２面より前記連結部側に位置し、
前記保持部材が前記２つの溝に差し込まれた状態において、前記２つの溝の各々における前記第１面と前記保持部材の前記裏面とが面接触可能である、
請求項５に記載の装身具ケース。
【請求項７】
前記第１ケース部の前記内面は、前記内部空間において前記保持部材が載置される位置を位置決めする位置決め部を持つ、
請求項３乃至６の何れか一項に記載の装身具ケース。
【請求項８】
前記位置決め部は、前記凹部の周囲の少なくとも一部を囲った段差を含む、
請求項７に記載の装身具ケース。
【請求項９】
前記保持部材は、前記位置決め部によって位置決めされた状態において前記凹部の少なくとも一部を覆う、
請求項７又は８に記載の装身具ケース。
【請求項１０】
前記保持部材は、前記装身具が備える紐状部分を挟持可能な少なくとも１つの切れ込みを持ち、
前記保持部材が前記位置決め部により位置決めされた状態において、前記切れ込みを介して前記保持部材の前記裏面側に渡った前記紐状部分の少なくとも一部が前記凹部に載置される、
請求項９に記載の装身具ケース。
【請求項１１】
前記保持部材は、前記装身具が備えるピンを貫通可能な少なくとも１つの孔を持ち、
前記保持部材が前記位置決め部により位置決めされた状態において、前記孔を貫通した前記ピンが、前記保持部材の前記裏面から前記凹部に突出する、
請求項９又は１０に記載の装身具ケース。
【請求項１２】
前記第１ケース部は、両端が前記内面に固定された帯状部材を含み、
前記保持部材は、前記位置決め部により位置決めされた状態において、前記裏面を前記凹部側に向けて前記内面に載置され、
前記帯状部材は、前記位置決め部によって位置決めされた状態の前記保持部材の前記表面を押さえる、
請求項７乃至１１の何れか一項に記載の装身具ケース。
【請求項１３】
前記保持部材は、
前記装身具が備える紐状部分を挟持可能な少なくとも１つの切れ込みと、
前記装身具が備えるピンを貫通可能な少なくとも１つの孔と
を持ち、
前記帯状部材は、前記保持部材が前記位置決め部により位置決めされた状態の前記保持部材の表面において前記切れ込みと前記孔との間を通っている、
請求項１２に記載の装身具ケース。
【発明の詳細な説明】
【技術分野】
【０００１】
本開示は、ネックレスやピアスなどの装身具を収容する装身具ケースに関するものである。
【背景技術】
【０００２】
装身具ケースは、主に装身具を傷や汚れなどから保護しつつ保管するために使用されるが、その他の用途として、装身具を店舗のショーケースなどで展示するために使用されることがある。例えば下記の特許文献１には、箱本体に被さる蓋体を箱本体の裏面側に廻り込ませることが可能な装身具ケースが記載されている。この装身具ケースでは、蓋体を箱本体の裏面に重ねることができるため、ショーケース等に置かれた場合、蓋体が他の装身具の展示を邪魔しなくなるという利点がある。
【先行技術文献】
【特許文献】
【０００３】
【特許文献１】特開２００７−２９４４９号公報
【発明の概要】
【発明が解決しようとする課題】
【０００４】
ところで装身具を展示する場合、装身具は平らな面に置くよりも、傾斜した面の高い位置に保持した方が鑑賞し易くなり、見栄えが良くなることが多い。しかしながら、このような斜面を持つ部材を装身具ケースの内部に収容するには、大きな蓋が必要になる。開閉式の大きな蓋は、ショーケース等において展示の邪魔になり易い。そこで、開閉式の蓋の代わりに、取り外し可能な蓋を容器の全体に被せるようにする構造が考えられる。ところが、そのような蓋を持つ構造は、開閉式の蓋を持つ構造に比べて装身具の出し入れが面倒になるとともに、蓋を紛失し易くなる。また、何れの構造においても、斜面の上端の位置が高くなるほど装身具ケースが大きくなり、保管し難くなるという不利益がある。
【０００５】
他方、弾性変形する樹脂などで形成された板状部材を折り曲げることにより、上述した斜面を形成することも考えられる。この板状部材は、蓋を閉じると装身具ケースの中で弾性変形し、蓋を開くと弾性変形する前の状態に戻る。そのため、蓋を開いた状態において所望の斜面を形成できるとともに、装身具ケースのサイズを小型にすることができる。しかしながら、板状部材の斜面の傾斜角は、斜面に保持される装身具の重さに応じて変化する。また、蓋の開閉の繰り返しによる弾性の劣化（塑性変形）によって傾斜角が変化することも考えられる。そのため、装身具を一定の傾斜角で見栄えよく展示することが難しいという不利益がある。
【０００６】
そこで本開示は、開閉式の装身具ケースであって、開いた状態において装身具を安定した姿勢で目視可能に保持できるとともに、サイズの大型化を抑制できる装身具ケースを提供することを目的とする。
【課題を解決するための手段】
【０００７】
本開示の１つの側面に係る装身具ケースは、装身具を保持する保持部材と、前記保持部材を前記装身具と共に収容する内部空間を持ったケース本体とを有する。前記ケース本体は、連結部を介して開閉自在に連結された第１ケース部及び第２ケース部を含む。前記第１ケース部及び前記第２ケース部は、閉じた状態において前記内部空間を形成する。前記内部空間に面した前記第１ケース部の内面は、前記第１ケース部と前記第２ケース部とが開いた状態において前記保持部材の一部を差し込み可能な溝を持つ。前記保持部材は、前記溝に差し込まれた状態で前記装身具を目視可能に保持し、前記溝から引き抜かれた状態で前記内部空間に収容される。
【０００８】
上記装身具ケースによれば、閉じた状態にある前記第１ケース部及び前記第２ケース部の内部には、前記保持部材を前記装身具と共に収容する前記内部空間が形成される。前記内部空間に面した前記第１ケース部の前記内面には、前記溝が設けられており、前記第１ケース部と前記第２ケース部とが開いた状態において、前記保持部材の一部が前記溝に差し込まれる。前記溝に差し込まれた状態の前記保持部材では、前記装身具が目視可能に保持される。前記保持部材を前記内部空間に収容する場合、前記保持部材は前記溝から引き抜かれた状態とされる。そのため、前記保持部材は、変形させることなく前記内部空間に収容可能であり、比較的硬い材料によって形成可能である。従って、前記装身具の重さが異なる場合でも、前記溝に差し込まれた状態の前記保持部材が変形し難くなり、前記装身具が安定した姿勢で保持され易くなる。また、前記保持部材が前記溝から引き抜かれた状態になることで、前記保持部材が前記溝に差し込まれた状態に比べて、前記保持部材の収容に必要な前記内部空間を小型化し易くなる。従って、サイズの大型化が抑制され易くなる。
【０００９】
好適に、前記保持部材は板状の形状を持ってよく、前記保持部材の縁を前記溝に差し込み可能でもよい。前記保持部材が前記溝に差し込まれた状態、かつ、前記第１ケース部と前記第２ケース部とが開いた状態において、前記装身具の少なくとも一部が前記保持部材の表面に位置するとともに、前記保持部材の裏面が前記連結部に臨んでいてよい。
【００１０】
この構成によれば、前記第１ケース部と前記第２ケース部とが開いた状態で前記保持部材の縁が前記溝に差し込まれているとき、前記保持部材の裏面が前記連結部に臨んでおり、前記装身具の少なくとも一部が前記保持部材の表面に位置している。そのため、前記装身具が前記連結部によって遮られずに目視し易くなる。
【００１１】
好適に、前記第１ケース部の前記内面は凹部を持ってよい。前記凹部は、底面と、前記底面を囲む内側面とを含んでよい。前記溝は、前記凹部の前記内側面において前記底面から離れる方向に延びて形成されてよい。
【００１２】
この構成によれば、前記凹部の前記内側面に前記溝が形成されており、前記凹部の前記底面から離れる方向に前記溝が延びている。前記保持部材は板状の形状を持つため、前記溝に差し込まれた場合、前記凹部の前記底面から離れる方向に立ち上がった姿勢となる。
【００１３】
好適に、前記内側面の異なる位置に２つの前記溝が形成されてよく、前記２つの溝が互いに対向してよい。前記保持部材は、前記２つの溝の間に挟まれた状態で、前記２つの溝に差し込まれてよい。
【００１４】
この構成によれば、前記溝に差し込まれた前記保持部材の姿勢が安定し易くなる。
【００１５】
好適に、前記溝は、互いに対向する第１面及び第２面を含んでよい。前記底面から離れるにつれて前記第１面と前記第２面との間隔が広がっていてよい。
【００１６】
この構成によれば、前記底面から離れた位置における前記第１面と前記第２面との間隔が広くなるため、前記溝に前記保持部材を差し込み易くなる。また、前記底面に近い位置における前記第１面と前記第２面との間隔が狭くなるため、前記底面に近い位置へ前記保持部材を差し込むことにより、前記保持部材の姿勢が安定し易くなる。
【００１７】
好適に、前記第１面は、前記第２面より前記連結部側に位置してよい。前記保持部材が前記２つの溝に差し込まれた状態において、前記２つの溝の各々における前記第１面と前記保持部材の前記裏面とが面接触可能であってよい。
【００１８】
この構成によれば、前記保持部材を前記連結部側へ傾けた姿勢にした場合に、前記第２面より前記連結部側に位置した前記第１面と、前記連結部に臨んだ前記保持部材の前記裏面とが面接触するため、当該姿勢が安定に保たれ易くなる。
【００１９】
好適に、前記第１ケース部の前記内面は、前記内部空間において前記保持部材が載置される位置を位置決めする位置決め部を持ってよい。
【００２０】
この構成によれば、前記内部空間に収容された前記保持部材が、前記位置決め部により位置決めされた位置に載置される。そのため、前記内部空間における前記保持部材の位置が安定し易くなる。
【００２１】
好適に、前記位置決め部は、前記凹部の周囲の少なくとも一部を囲った段差を含んでよい。
【００２２】
この構成によれば、前記保持部材が前記段差と当接することにより、前記凹部に対して前記保持部材が位置決めされる。
【００２３】
好適に、前記保持部材は、前記位置決め部によって位置決めされた状態において前記凹部の少なくとも一部を覆ってよい。
【００２４】
この構成によれば、前記保持部材によって覆われた凹部の中に装飾具の一部や部品等を置くことが可能になり、前記内部空間において部品等が散らばり難くなる。
【００２５】
好適に、前記保持部材は、前記装身具が備える紐状部分を挟持可能な少なくとも１つの切れ込みを持ってよい。前記保持部材が前記位置決め部により位置決めされた状態において、前記切れ込みを介して前記保持部材の前記裏面側に渡った前記紐状部分の少なくとも一部が前記凹部に載置されてよい。
【００２６】
この構成によれば、前記保持部材が前記位置決め部により位置決めされた状態において、前記切れ込みを介して前記保持部材の前記裏面側に渡った前記紐状部分の少なくとも一部が前記凹部に載置されるため、前記内部空間における前記紐状部分の配置の乱れが生じ難くなり、美観が維持され易くなる。
【００２７】
好適に、前記保持部材は、前記装身具が備えるピンを貫通可能な少なくとも１つの孔を持ってよい。前記保持部材が前記位置決め部により位置決めされた状態において、前記孔を貫通した前記ピンが、前記保持部材の前記裏面から前記凹部に突出してよい。
【００２８】
この構成によれば、前記保持部材が前記位置決め部により位置決めされた状態において、前記保持部材の前記孔を貫通した前記ピンが前記裏面から前記凹部に突出する。そのため、前記裏面から突出した前記ピンの先に止め具などの部品を取り付けても、当該部品が前記凹部の中に入り、当該部品と第１ケース部との間に隙間を確保し易くなる。
【００２９】
好適に、前記第１ケース部は、両端が前記内面に固定された帯状部材を含んでよい。前記保持部材は、前記位置決め部により位置決めされた状態において、前記裏面を前記凹部側に向けて前記内面に載置されてよい。前記帯状部材は、前記位置決め部によって位置決めされた状態の前記保持部材の前記表面を押さえてよい。
【００３０】
この構成によれば、前記位置決め部により位置決めされた状態の前記保持部材が、前記裏面を前記凹部側に向けて前記内面に載置されるとともに、前記表面を前記帯状部材によって押さえられている。そのため、装身具ケースの姿勢が大きく変化しても、前記位置決め部によって位置決めされた前記保持部材の位置が保たれ易くなる。
【００３１】
好適に、前記保持部材は、前記装身具が備える紐状部分を挟持可能な少なくとも１つの切れ込みと、前記装身具が備えるピンを貫通可能な少なくとも１つの孔とを持ってよい。前記帯状部材は、前記保持部材が前記位置決め部により位置決めされた状態の前記保持部材の表面において前記切れ込みと前記孔との間を通ってよい。
【００３２】
この構成によれば、前記保持部材が前記位置決め部により位置決めされた状態の前記保持部材の表面において前記切れ込みと前記孔との間を前記帯状部材が通っている。そのため、前記保持部材の表面が前記帯状部材で押さえられた状態であっても、前記紐状部分を前記切れ込みに挟持させることが可能であり、また、前記孔に前記装身具の前記ピンを貫通させることが可能である。
【発明の効果】
【００３３】
本開示に係る装身具ケースによれば、開閉式の装身具ケースであって、開いた状態において装身具を安定した姿勢で目視可能に保持できるとともに、サイズの大型化を抑制できる。
【図面の簡単な説明】
【００３４】
【図１】図１は、閉じた状態の装身具ケースの一例を示す斜視図である。
【図２】図２Ａ〜図２Ｄは、閉じた状態の装身具ケースの一例を示す図である。図２Ａは平面図であり、図２Ｂは正面図であり、図２Ｃは右側面図であり、図２Ｄは底面図である。
【図３】図３は、開いた状態の装身具ケースの一例を示す斜視図である。
【図４】図４Ａ〜図４Ｂは、開いた状態の装身具ケースの一例を示す図である。図４Ａは正面図であり、図４Ｂは背面図である。
【図５】図５Ａ〜図５Ｂは、開いた状態の装身具ケースの一例を示す図である。図５Ａは平面図であり、図５Ｂは底面図である。
【図６】図６Ａ〜図６Ｂは、開いた状態の装身具ケースの一例を示す図である。図６Ａは左側面図であり、図６ＢはＡ−Ａ線断面図である。
【図７】図７Ａ〜図７Ｄは、保持部材の一例を示す図である。図７Ａは平面図であり、図７Ｂは正面図であり、図７Ｃは側面図であり、図７Ｄは底面図である。
【図８】図８は、保持部材が外された状態の装身具ケースの一例を示す斜視図である。
【図９】図９Ａ〜図９Ｂは、保持部材が外された状態の装身具ケースの一例を示す図である。図９Ａは平面図であり、図９ＢはＢ−Ｂ線断面図である。
【図１０】図１０は、保持部材を溝に差し込んだ状態の装身具ケースの一例を示す斜視図である。
【図１１】図１１Ａ〜図１１Ｂは、保持部材が溝に差し込まれた状態の装身具ケースの一例を示す図である。図１１Ａは正面図であり、図１１Ｂは平面図である。
【図１２】図１２Ａ〜図１２Ｂは、保持部材が溝に差し込まれた状態の装身具ケースの一例を示す図である。図１２Ａは左側面図であり、図１２ＢはＣ−Ｃ線断面図である。
【図１３】図１３は、保持部材に装身具が保持された例を示す図である。
【図１４】図１４は、保持部材に装身具が保持された他の例を示す図である。
【発明を実施するための形態】
【００３５】
以下、本実施形態に係る装身具ケースについて図面を参照しながら説明する。
図１及び図２Ａ〜図２Ｄは、閉じた状態の装身具ケース１の一例を示す図である。図１は斜視図であり、図２Ａは平面図であり、図２Ｂは正面図であり、図２Ｃは右側面図であり、図２Ｄは底面図である。
また、図３、図４Ａ〜図４Ｂ、図５Ａ〜図５Ｂ及び図６Ａ〜図６Ｂは、開いた状態の装身具ケース１の一例を示す図である。図３は斜視図であり、図４Ａは正面図であり、図４Ｂは背面図であり、図５Ａは平面図であり、図５Ｂは底面図であり、図６Ａは左側面図であり、図６ＢはＡ−Ａ線断面図である。
【００３６】
以下の説明における上下左右の方向は、正面図（図２Ｂ）の上下左右の方向と同じである。また、前方向は正面図（図２Ｂ）の奥から手前に向かう方向を意味し、後方向は正面図（図２Ｂ）の手前から奥に向かう方向を意味する。
【００３７】
本実施形態に係る装身具ケース１は、装身具を内部に収容することができる開閉式のケースであって、装身具を保持する保持部材４と、保持部材４を装身具と共に収容する内部空間５を持ったケース本体２とを有する。
【００３８】
ケース本体２は、連結部３を介して開閉自在に連結された第１ケース部１０及び第２ケース部２０を含む。第１ケース部１０及び第２ケース部２０は、閉じた状態において内部空間５を形成する（図２Ｂ，図２Ｃ）。
【００３９】
閉じた状態にあるケース本体２は、図１の例において、概ね直方体の形状を持つ。第１ケース部１０は下側に位置し、第２ケース部２０は上側に位置する。第１ケース部１０は、直方体の底面を形成する底面部１０１と、底面部１０１の縁を囲んで底面部１０１より上方に延設された側面部１０２とを含む。第２ケース部２０は、直方体の天面を形成する天面部２０１と、天面部２０１の縁を囲んで天面部２０１より下方に延設された側面部２０２とを含む。閉じた状態において、側面部１０２の上端と側面部２０２の下端とが当接する。
【００４０】
連結部３は、図６Ａに示すように、側面部１０２の後方上側の外縁と側面部２０２の後方下側の外縁とがほぼ接した状態を保ちつつ、第１ケース部１０と第２ケース部２０とを開閉自在に連結する。例えば連結部３は、第１ケース部１０と第２ケース部２０とを回転自在に連結するヒンジと、ヒンジの回転を付勢する弾性部材とを含む。弾性部材は、例えばヒンジの回転軸を囲むように配置された筒状の板バネであり、開状態のときは更に開く方向へヒンジの回転を付勢し、閉状態のときは更に閉じる方向へヒンジの回転を付勢する。
【００４１】
第１ケース部１０と第２ケース部２０との間には、例えば図３に示すように、連結部３を正面側から隠す布状のカバー３１が設けられている。カバー３１の一端はケース部１０に固定され、カバー３１の他端は第２ケース部２０に固定される（図６Ｂ）。
【００４２】
第１ケース部１０は、後述の凹部１１０や溝１２０，１３０などが形成された内ケース部材１０５を含む（図６Ｂ）。内ケース部材１０５の上側は、内部空間５に面した内面１０３となっている（図３）。内ケース部材１０５の連結部３側（後方側）の端部は、底面部１０１の内側に立設されたリブ１７１によって押さえられている（図６Ｂ）。カバー３１の一端が、リブ１７１と内ケース部材１０５との間に挟まれている。内ケース部材１０５の連結部３側の端部と側面部１０２との隙間には、連結部３を構成する部品（ヒンジ等）の一部が配置される。
【００４３】
第２ケース部２０の天面部２０１の内側には、例えば図３に示すように、装飾用の内張り２０３が施されている。内張り２０３の連結部３側の端部は、天面部２０１の内側に立設されたリブ２７１によって押さえられている（図６Ｂ）。カバー３１の他端が、リブ２７１と内張り２０３との間に挟まれている。内張り２０３の連結部３側の端部と側面部２０２との隙間には、連結部３を構成する部品の一部が配置される。内張り２０３の左上隅と右下隅には、ジュエリーの保証書等を挟んで保持するための帯状の保持具２０４，２０５が設けられている（図４Ａ）。
【００４４】
上述した図３から図６Ｂまでの図面において、保持部材４は第１ケース部１０の内面１０３に載置されているが、保持部材４は第１ケース部１０から取り外すことも可能である。また第１ケース部１０から取り外した保持部材４は、第１ケース部１０の後述する溝１２０，１３０に差し込むことも可能である。
【００４５】
図７Ａ〜図７Ｄは、保持部材４の一例を示す図である。図７Ａは平面図であり、図７Ｂは正面図であり、図７Ｃは側面図であり、図７Ｄは底面図である。
【００４６】
保持部材４は、例えば図７Ａ〜図７Ｄに示すように、板状の形状を持つ。図７Ｂの例において、保持部材４の平面視の外形は、６つの辺（４０１〜４０６）を持つ線対称な６角形である。上辺４０１及び下辺４０２は平行であり、上辺４０１が下辺４０２に比べて短い。上側辺４０３及び上側辺４０５は同じ長さを持ち、上辺４０１の両端に接している。下側辺４０４及び下側辺４０６が同じ長さを持ち、下辺４０２の両端に接している。下側辺４０４及び下側辺４０６は、下辺４０２に対してそれぞれ垂直であり、上側辺４０３及び上側辺４０５に比べて短い。
【００４７】
下側辺４０４から下側辺４０６までの矩形の範囲は、上側辺４０３から下側辺４０６までの台形の範囲に比べて厚い（図７Ｃ）。比較的厚い下側辺４０４付近の縁と下側辺４０６付近の縁とが、後述する溝１２０及び１３０にそれぞれ差し込まれる。
【００４８】
保持部材４は、ネックレスなどの装身具が備える紐状部分を挟持可能な切れ込み４１及び４２を持つ。図７Ｂの例において、切れ込み４１及び４２は上辺４０１に設けられており、上辺４０１に対してほぼ垂直に延びている。
【００４９】
また保持部材４は、ピアスなどの装身具が備えるピンを貫通可能な孔４３をもつ。図７Ｂの例において、孔４３は、切れ込み４１及び４２の先端よりも上辺４０１から離れた場所に位置する。
【００５０】
図８及び図９Ａ〜図９Ｂ、は、保持部材４が外された状態の装身具ケース１の一例を示す図である。図８は斜視図であり、図９Ａは平面図であり、図９ＢはＢ−Ｂ線断面図である。この状態における正面図、背面図、底面図及び左側面図は、それぞれ図４Ａ、図４Ｂ、図５Ｂ及び図６Ａと同じである。
図１０、図１１Ａ〜図１１Ｂ及び図１２Ａ〜図１２Ｂは、保持部材４が溝１２０，１３０に差し込まれた状態の装身具ケース１の一例を示す図である。図１０は斜視図であり、図１１Ａは正面図であり、図１１Ｂは平面図であり、図１２Ａは左側面図であり、図１２ＢはＣ−Ｃ線断面図である。この状態における背面図及び底面図は、それぞれ図４Ｂ及び図５Ｂと同じである。
【００５１】
内部空間５に面した第１ケース部１０の内面１０３は、第１ケース部１０と第２ケース部２０とが開いた状態において保持部材４の一部を差し込み可能な溝１２０及び１３０を持つ（図８，図９）。この溝１２０及び１３０には、図１０に示すように、保持部材４の縁を差し込むことができる。
【００５２】
第１ケース部１０の内面１０３は、図８の例において、下側に凹んだ凹部１１０を持つ。凹部１１０は、下側の底面１１２と、この底面１１２を囲む内側面１１１とを含む。底面１１２は、底面部１０１の外面とほぼ平行であり、内側面１１１は底面１１２に対して概ね垂直である。溝１２０及び１３０は、この内側面１１１において底面１１２から離れる方向に延びて形成されている。
【００５３】
図９Ａの例において、２つの溝１２０及び１３０は、内側面１１１の互いに対向する位置に形成されている。溝１２０は右側の内側面１１１に形成され、右方向へ窪んでいる。溝１３０は左側の内側面１１１に形成され、左方向へ窪んでいる。保持部材４は、図１０に示すように、２つの溝１２０及び１３０の間に挟まれた状態で、２つの溝１２０及び１３０に差し込まれる。
【００５４】
図９Ａの例において、溝１２０は、互いに対向する２つの面（第１面１２１及び第２面１２２）を含む。溝１２０に保持部材４の縁を差し込んだ場合、図１２Ｂに示すように、第１面１２１は保持部材４の裏面４１１に面し、第２面１２２は保持部材４の表面４１０に面する。すなわち、第１面１２１は第２面１２２より連結部３側（後ろ側）に位置する。第１面１２１及び第２面１２２は、図９Ｂに示すように、底面１１２から離れるにつれて互いの間隔が広がっている。第１面１２１及び第２面１２２は、何れも、底面１１２に垂直な方向に対してやや後ろ側に傾斜している。この傾斜の角度は、第１面１２１の方が第２面１２２より大きい。
溝１３０も、上述した溝１２０と同様に、互いに対向する２つの面（第１面１３１及び第２面１３２）を含む。第１面１３１及び第２面１３２についての説明は、上記の溝１２０の説明における第１面１２１を第１面１３１と読み替え、第２面１２２を第２面１３２と読み替えたものと同じである。
【００５５】
保持部材４が２つの溝１２０及び１３０に差し込まれた場合、図１２Ｂに示すように、２つの溝１２０及び１３０の各々における第１面１２１及び１３１と保持部材４の裏面４１１とが面接触可能である。第１面１２１及び１３１と保持部材４の裏面４１１とが面接触した状態において、保持部材４はやや後方に傾斜した姿勢となる。
【００５６】
保持部材４は、ケース本体２の内部空間５に収容される場合、図３に示すように、溝１２０，１３０から引き抜かれた状態とされて、第１ケース部１０の内面１０３に載置される。内面１０３は、内部空間５において保持部材４が載置される位置を位置決めする位置決め部１４０を持つ。位置決め部１４０は、例えば図８に示すように、凹部１１０の周囲を囲った段差である。凹部１１０の内側面１１１の上縁部と位置決め部１４０（段差）との間には、底面１１２とほぼ平行な載置面１４１が形成されている。保持部材４を載置面１４１に載置させるために、保持部材４の縁と位置決め部１４０（段差）とを当接させることによって、保持部材４の前後左右の位置が位置決めされる。保持部材４は、位置決め部１４０によって位置決めされた位置に載置された状態おいて、凹部１１０のほぼ全体を覆う（図３）。
【００５７】
第１ケース部１０は、位置決め部１４０によって位置決めされた保持部材４の表面４１０を押さえる帯状部材１５０を含む。帯状部材１５０の両端は、内面１０３に固定されており、図８の例では位置決め部１４０の段差に固定される。図６Ｂに示すように、保持部材４は裏面４１１を凹部１１０側（下側）に向けて内面１０３（載置面１４１）に載置されるとともに、帯状部材１５０と載置面１４１との間に挟み込まれる。帯状部材１５０は、位置決め部１４０によって位置決めされた状態の保持部４の表面４１０において切れ込み４１及び４２と孔４３との間を通っており、これらを表面４１０側から塞いでいない。
【００５８】
図１３は、保持部材４に装身具としてネックレス７が保持された例を示す図であり、図１０の斜視図において保持部材４にネックレス７が保持されたものである。図１３の例では、拡大鏡保持孔１６０に筒状の拡大鏡９が保持されている。
図１４は、保持部材４に装身具としてピアス８が保持された例を示す図であり、図１２Ｂの断面図において保持部材４にピアス８が保持されたものである。
【００５９】
図１３及び図１４に示すように、保持部材４は、第１ケース部１０の溝１２０及び１３０に差し込まれた状態で、装身具を目視可能に保持する。すなわち、保持部材４が溝１２０及び１３０に差し込まれた状態、かつ、第１ケース部１０と第２ケース部２０とが開いた状態において、装身具の少なくとも一部が保持部材４の表面４１０に位置するとともに、保持部材４の裏面４１１が連結部３に臨んでいる。これにより、保持部材４に保持される装身具の主要部が、連結部３と反対の方向（前方）に向かって展示される。
【００６０】
他方、保持部材４がケース本体２の内部空間５に収容される場合、保持部材４の切れ込み４１及び４２を介して保持部材４の表面４１０側から裏面４１１側に渡ったネックレス７の紐状部分７１（図１３）の少なくとも一部が、凹部１１０に載置される。これにより、装身具の余分な紐状部分が凹部１１０の中に載置され、保持部材４によって覆われた状態となる。
【００６１】
また、保持部材４がケース本体２の内部空間５に収容される場合、保持部材４の表面４１０側から貫通したピアス８のピン８１（図１４）が、保持部材４の裏面４１１から凹部１１０に突出する。これにより、ピン８１の尖端に装着される止め具８２など（図１４）が凹部１１０の中に入り、第１ケース部１０と止め具８２との間に隙間が確保される。
【００６２】
（まとめ）
本実施形態に係る装身具ケース１において、閉じた状態にある第１ケース部１０及び第２ケース部２０の内部には、保持部材４を装身具と共に収容する内部空間５が形成される。内部空間５に面した第１ケース部１０の内面１０３には、溝１２０及び１３０が設けられており、第１ケース部１０と第２ケース部２０とが開いた状態において、保持部材４の一部が溝１２０及び１３０に差し込まれる。溝１２０及び１３０に差し込まれた状態の保持部材４では、装身具が目視可能に保持される。内部空間５に保持部材４を収容する場合、保持部材４は溝１２０及び１３０から引き抜かれた状態とされる。そのため、保持部材４は、変形させることなく内部空間５に収容可能であり、比較的硬い材料によって形成可能である。従って、装身具の重さが異なる場合でも、溝１２０及び１３０に差し込まれた状態の保持部４を変形し難くすることが可能となり、装身具を安定した姿勢で目視可能に保持できる。また、保持部材４が溝１２０及び１３０から引き抜かれた状態になることで、保持部材４が溝１２０及び１３０に差し込まれた状態に比べて、保持部材４の収容に必要な内部空間５のサイズが小さくなる。従って、装身具ケース１のサイズの大型化を抑制できる。
【００６３】
本実施形態に係る装身具ケース１では、第１ケース部１０と第２ケース部２０とが開いた状態で保持部材４の縁が溝１２０及び１３０に差し込まれているとき、保持部材４の裏面４１１が連結部３に臨んでおり、装身具の少なくとも一部が保持部材４の表面４１０に位置している。そのため、装身具が連結部３によって遮られずに目視し易くなる。
【００６４】
本実施形態に係る装身具ケース１では、凹部１１０の内側面１１１に溝１２０及び１３０が形成されており、凹部１１０の底面１１２から離れる方向に溝１２０及び１３０が延びている。保持部材４は板状の形状を持つため、溝１２０及び１３０に差し込まれた場合、凹部１１０の底面１１２から離れる方向に立ち上がった姿勢となる。従って、保持部材４に保持される装身具を目立たせることができる。
【００６５】
本実施形態に係る装身具ケース１では、互いに対向する２つの溝１２０及び１３０の間に挟まれた状態で、保持部材４が２つの溝１２０及び１３０に差し込まれる。そのため、溝１２０及び１３０に差し込まれた保持部材４の姿勢を安定させることができる。
【００６６】
本実施形態に係る装身具ケース１では、底面１１２から離れた位置における第１面１２１（１３１）と第２面１２２（１３２）との間隔が広くなるため、保持部材４を溝１２０（１３０）へ差し込み易くすることができる。また、底面１１２に近い位置における第１面１２１（１３１）と第２面１２２（１３２）との間隔が狭くなるため、底面１１２に近い位置へ保持部材４を差し込むことにより、保持部材４の姿勢を安定させることができる。
【００６７】
本実施形態に係る装身具ケース１では、保持部材４を連結部３側へ傾けた姿勢にした場合に、第２面１２２（１３２）より連結部３側に位置した第１面１２１（１３１）と、連結部３に臨んだ保持部材４の裏面４１１とが面接触するため、この姿勢を安定に保ち易くなる。また、保持部材４を連結部３側へ傾けた姿勢にすることで、表面４１０側に位置する装身具を鑑賞し易くなる。従って、装身具を鑑賞し易くなる保持部材４の姿勢を安定に保つことができる。
【００６８】
本実施形態に係る装身具ケース１では、内部空間５に収容された保持部材４が、位置決め部１４０により位置決めされた位置に載置される。そのため、内部空間５における保持部材４の位置を安定に保つことができる。
【００６９】
本実施形態に係る装身具ケース１では、凹部１１０の周囲の少なくとも一部が位置決め部１４０としての段差により囲われる。そのため、保持部材４がこの段差と当接することにより、凹部１１０に対して保持部材４を有効に位置決めできる。
【００７０】
本実施形態に係る装身具ケース１では、位置決め部１４０により位置決めされた状態の保持部材４によって、凹部１１０の少なくとも一部が覆われる。そのため、保持部材４によって覆われた凹部１１０の中に装飾具の一部や部品等を置くことが可能になり、内部空間５において部品等を散らばり難くすることができる。
【００７１】
本実施形態に係る装身具ケース１では、保持部材４が位置決め部１４０により位置決めされた状態において、切れ込み４１及び４２を介して保持部材４の裏面４１１側に渡った装身具（ネックレス等）の紐状部分の少なくとも一部が凹部１１０に載置される。そのため、内部空間５における紐状部分の配置の乱れが生じ難くなり、美観を維持できる。
【００７２】
本実施形態に係る装身具ケース１では、保持部材４が位置決め部１４０により位置決めされた状態において、保持部材４の孔４３を貫通した装身具（ピアス等）のピンが保持部材４の裏面４１１から凹部１１０に突出する。そのため、裏面４１１から突出したピンの先に止め具などの部品を取り付けても、当該部品が凹部１１０の中に入り、当該部品と第１ケース部１０との間に隙間を確保できる。これにより、保持部材４を位置決め部１４０によって位置決めされた状態に保つことができる。
【００７３】
本実施形態に係る装身具ケース１では、位置決め部１４０により位置決めされた状態の保持部材４が、裏面４１１を凹部１１０側に向けて第１ケース部１０の内面１０３に載置されるとともに、表面４１０を帯状部材１５０によって押さえられている。そのため、装身具ケースの姿勢が大きく変化しても（例えば上下が逆さまになっても）、位置決め部１４０によって位置決めされた保持部材４の位置を保つことができる。
【００７４】
本実施形態に係る装身具ケース１では、位置決め部１４０により位置決めされた状態の保持部材４の表面において切れ込み４１及び４２と孔４３との間を帯状部材１５０が通っている。そのため、保持部材４の表面が帯状部材１５０で押さえられた状態であっても、装身具の紐状部分を切れ込み４１及び４２に挟持させることが可能であり、また、孔４３に装身具のピンを貫通させることが可能である。
【００７５】
なお、本発明は上述した実施形態にのみ限定されるものではなく、種々のバリエーションを含んでいる。
【００７６】
例えば上述した実施形態において、保持部材は２つの溝（１２０、１３０）に差し込まれるが、溝の数は任意であり、１つでも３以上でもよい。
【００７７】
また、上述した実施形態において、凹部の内側面に溝が形成されているが、他の本実施形態では、凹部の底面に溝が形成されてもよい。
【符号の説明】
【００７８】
１…装身具ケース、２…ケース本体、１０…第１ケース部、１０１…底面部、１０２，２０２…側面部、１０３…内面、１０５…内ケース部材、１１０…凹部、１１１…内側面、１１２…底面、１２０，１３０…溝、１２１，１３１…第１面、１２２，１３１…第２面、１４０…位置決め部、１４１…載置面、１５０…帯状部材、１６０…拡大鏡保持孔、１７１，２７１…リブ、２０…第２ケース部、２０１…天面部、２０３…内張り、２０４，２０５…保持具、３…連結部、３１…カバー、４…保持部材、４１，４２…切れ込み、４３…孔、４０１…上辺、４０２…下辺、４０３，４０５…上側辺、４０４，４０６…下側辺、４１０…表面、４１１…裏面、５…内部空間、７…ネックレス、７１…紐状部分、８…ピアス、８１…ピン、８２…止め具、９…拡大鏡
【図１】
2019055149.tif 000003
【図２】
2019055149.tif 000004
【図３】
2019055149.tif 000005
【図４】
2019055149.tif 000006
【図５】
2019055149.tif 000007
【図６】
2019055149.tif 000008
【図７】
2019055149.tif 000009
【図８】
2019055149.tif 000010
【図９】
2019055149.tif 000011
【図１０】
2019055149.tif 000012
【図１１】
2019055149.tif 000013
【図１２】
2019055149.tif 000014
【図１３】
2019055149.tif 000015
【図１４】
2019055149.tif 000016
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
装身具を保持する保持部材と、
前記保持部材を前記装身具と共に収容する内部空間を持ったケース本体とを有し、
前記ケース本体は、連結部を介して開閉自在に連結された第１ケース部及び第２ケース部を含み、
前記第１ケース部及び前記第２ケース部は、閉じた状態において前記内部空間を形成し、
前記内部空間に面した前記第１ケース部の内面は、前記第１ケース部と前記第２ケース部とが開いた状態において前記保持部材の一部を差し込み可能な溝を持ち、
前記保持部材は、前記溝に差し込まれた状態で前記装身具を目視可能に保持し、前記溝から引き抜かれた状態で前記内部空間に収容され、
前記保持部材は板状の形状を持ち、
前記保持部材の縁を前記溝に差し込み可能であり、
前記保持部材が前記溝に差し込まれた状態、かつ、前記第１ケース部と前記第２ケース部とが開いた状態において、前記装身具の少なくとも一部が前記保持部材の表面に位置するとともに、前記保持部材の裏面が前記連結部に臨んでおり、
前記第１ケース部の前記内面は凹部を持ち、
前記凹部は、底面と、前記底面を囲む内側面とを含み、
前記溝は、前記凹部の前記内側面において前記底面から離れる方向に延びて形成され、
前記内側面の異なる位置に２つの前記溝が形成されており、
前記２つの溝が互いに対向し、
前記保持部材は、前記２つの溝の間に挟まれた状態で、前記２つの溝に差し込まれる、
装身具ケース。
【請求項２】
前記溝は、互いに対向する第１面及び第２面を含み、
前記底面から離れるにつれて前記第１面と前記第２面との間隔が広がっている、
請求項１に記載の装身具ケース。
【請求項３】
前記第１面は、前記第２面より前記連結部側に位置し、
前記保持部材が前記２つの溝に差し込まれた状態において、前記２つの溝の各々における前記第１面と前記保持部材の前記裏面とが面接触可能である、
請求項２に記載の装身具ケース。
【請求項４】
前記第１ケース部の前記内面は、前記内部空間において前記保持部材が載置される位置を位置決めする位置決め部を持つ、
請求項１乃至３の何れか一項に記載の装身具ケース。
【請求項５】
前記位置決め部は、前記凹部の周囲の少なくとも一部を囲った段差を含む、
請求項４に記載の装身具ケース。
【請求項６】
装身具を保持する保持部材と、
前記保持部材を前記装身具と共に収容する内部空間を持ったケース本体とを有し、
前記ケース本体は、連結部を介して開閉自在に連結された第１ケース部及び第２ケース部を含み、
前記第１ケース部及び前記第２ケース部は、閉じた状態において前記内部空間を形成し、
前記内部空間に面した前記第１ケース部の内面は、前記第１ケース部と前記第２ケース部とが開いた状態において前記保持部材の一部を差し込み可能な溝を持ち、
前記保持部材は、前記溝に差し込まれた状態で前記装身具を目視可能に保持し、前記溝から引き抜かれた状態で前記内部空間に収容され、
前記保持部材は板状の形状を持ち、
前記保持部材の縁を前記溝に差し込み可能であり、
前記保持部材が前記溝に差し込まれた状態、かつ、前記第１ケース部と前記第２ケース部とが開いた状態において、前記装身具の少なくとも一部が前記保持部材の表面に位置するとともに、前記保持部材の裏面が前記連結部に臨んでおり、
前記第１ケース部の前記内面は凹部を持ち、
前記凹部は、底面と、前記底面を囲む内側面とを含み、
前記溝は、前記凹部の前記内側面において前記底面から離れる方向に延びて形成され、
前記第１ケース部の前記内面は、前記内部空間において前記保持部材が載置される位置を位置決めする位置決め部を持ち、
前記位置決め部は、前記凹部の周囲の少なくとも一部を囲った段差を含む、
装身具ケース。
【請求項７】
前記保持部材は、前記位置決め部によって位置決めされた状態において前記凹部の少なくとも一部を覆う、
請求項４乃至６の何れか一項に記載の装身具ケース。
【請求項８】
前記保持部材は、前記装身具が備える紐状部分を挟持可能な少なくとも１つの切れ込みを持ち、
前記保持部材が前記位置決め部により位置決めされた状態において、前記切れ込みを介して前記保持部材の前記裏面側に渡った前記紐状部分の少なくとも一部が前記凹部に載置される、
請求項７に記載の装身具ケース。
【請求項９】
装身具を保持する保持部材と、
前記保持部材を前記装身具と共に収容する内部空間を持ったケース本体とを有し、
前記ケース本体は、連結部を介して開閉自在に連結された第１ケース部及び第２ケース部を含み、
前記第１ケース部及び前記第２ケース部は、閉じた状態において前記内部空間を形成し、
前記内部空間に面した前記第１ケース部の内面は、前記第１ケース部と前記第２ケース部とが開いた状態において前記保持部材の一部を差し込み可能な溝を持ち、
前記保持部材は、前記溝に差し込まれた状態で前記装身具を目視可能に保持し、前記溝から引き抜かれた状態で前記内部空間に収容され、
前記保持部材は板状の形状を持ち、
前記保持部材の縁を前記溝に差し込み可能であり、
前記保持部材が前記溝に差し込まれた状態、かつ、前記第１ケース部と前記第２ケース部とが開いた状態において、前記装身具の少なくとも一部が前記保持部材の表面に位置するとともに、前記保持部材の裏面が前記連結部に臨んでおり、
前記第１ケース部の前記内面は凹部を持ち、
前記凹部は、底面と、前記底面を囲む内側面とを含み、
前記溝は、前記凹部の前記内側面において前記底面から離れる方向に延びて形成され、
前記第１ケース部の前記内面は、前記内部空間において前記保持部材が載置される位置を位置決めする位置決め部を持ち、
前記保持部材は、前記位置決め部によって位置決めされた状態において前記凹部の少なくとも一部を覆い、
前記保持部材は、前記装身具が備える紐状部分を挟持可能な少なくとも１つの切れ込みを持ち、
前記保持部材が前記位置決め部により位置決めされた状態において、前記切れ込みを介して前記保持部材の前記裏面側に渡った前記紐状部分の少なくとも一部が前記凹部に載置される、
装身具ケース。
【請求項１０】
前記保持部材は、前記装身具が備えるピンを貫通可能な少なくとも１つの孔を持ち、
前記保持部材が前記位置決め部により位置決めされた状態において、前記孔を貫通した前記ピンが、前記保持部材の前記裏面から前記凹部に突出する、
請求項７乃至９の何れか一項に記載の装身具ケース。
【請求項１１】
装身具を保持する保持部材と、
前記保持部材を前記装身具と共に収容する内部空間を持ったケース本体とを有し、
前記ケース本体は、連結部を介して開閉自在に連結された第１ケース部及び第２ケース部を含み、
前記第１ケース部及び前記第２ケース部は、閉じた状態において前記内部空間を形成し、
前記内部空間に面した前記第１ケース部の内面は、前記第１ケース部と前記第２ケース部とが開いた状態において前記保持部材の一部を差し込み可能な溝を持ち、
前記保持部材は、前記溝に差し込まれた状態で前記装身具を目視可能に保持し、前記溝から引き抜かれた状態で前記内部空間に収容され、
前記保持部材は板状の形状を持ち、
前記保持部材の縁を前記溝に差し込み可能であり、
前記保持部材が前記溝に差し込まれた状態、かつ、前記第１ケース部と前記第２ケース部とが開いた状態において、前記装身具の少なくとも一部が前記保持部材の表面に位置するとともに、前記保持部材の裏面が前記連結部に臨んでおり、
前記第１ケース部の前記内面は凹部を持ち、
前記凹部は、底面と、前記底面を囲む内側面とを含み、
前記溝は、前記凹部の前記内側面において前記底面から離れる方向に延びて形成され、
前記第１ケース部の前記内面は、前記内部空間において前記保持部材が載置される位置を位置決めする位置決め部を持ち、
前記保持部材は、前記位置決め部によって位置決めされた状態において前記凹部の少なくとも一部を覆い、
前記保持部材は、前記装身具が備えるピンを貫通可能な少なくとも１つの孔を持ち、
前記保持部材が前記位置決め部により位置決めされた状態において、前記孔を貫通した前記ピンが、前記保持部材の前記裏面から前記凹部に突出する、
装身具ケース。
【請求項１２】
前記第１ケース部は、両端が前記内面に固定された帯状部材を含み、
前記保持部材は、前記位置決め部により位置決めされた状態において、前記裏面を前記凹部側に向けて前記内面に載置され、
前記帯状部材は、前記位置決め部によって位置決めされた状態の前記保持部材の前記表面を押さえる、
請求項４乃至１１の何れか一項に記載の装身具ケース。
【請求項１３】
装身具を保持する保持部材と、
前記保持部材を前記装身具と共に収容する内部空間を持ったケース本体とを有し、
前記ケース本体は、連結部を介して開閉自在に連結された第１ケース部及び第２ケース部を含み、
前記第１ケース部及び前記第２ケース部は、閉じた状態において前記内部空間を形成し、
前記内部空間に面した前記第１ケース部の内面は、前記第１ケース部と前記第２ケース部とが開いた状態において前記保持部材の一部を差し込み可能な溝を持ち、
前記保持部材は、前記溝に差し込まれた状態で前記装身具を目視可能に保持し、前記溝から引き抜かれた状態で前記内部空間に収容され、
前記保持部材は板状の形状を持ち、
前記保持部材の縁を前記溝に差し込み可能であり、
前記保持部材が前記溝に差し込まれた状態、かつ、前記第１ケース部と前記第２ケース部とが開いた状態において、前記装身具の少なくとも一部が前記保持部材の表面に位置するとともに、前記保持部材の裏面が前記連結部に臨んでおり、
前記第１ケース部の前記内面は凹部を持ち、
前記凹部は、底面と、前記底面を囲む内側面とを含み、
前記溝は、前記凹部の前記内側面において前記底面から離れる方向に延びて形成され、
前記第１ケース部の前記内面は、前記内部空間において前記保持部材が載置される位置を位置決めする位置決め部を持ち、
前記第１ケース部は、両端が前記内面に固定された帯状部材を含み、
前記保持部材は、前記位置決め部により位置決めされた状態において、前記裏面を前記凹部側に向けて前記内面に載置され、
前記帯状部材は、前記位置決め部によって位置決めされた状態の前記保持部材の前記表面を押さえる、
装身具ケース。
【請求項１４】
前記保持部材は、
前記装身具が備える紐状部分を挟持可能な少なくとも１つの切れ込みと、
前記装身具が備えるピンを貫通可能な少なくとも１つの孔と
を持ち、
前記帯状部材は、前記保持部材が前記位置決め部により位置決めされた状態の前記保持部材の表面において前記切れ込みと前記孔との間を通っている、
請求項１２又は１３に記載の装身具ケース。